【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
上位層からデータを受信して前記データに関する第１のＳＮ（Ｓｅｑｕｅｎｃｅ  Ｎｕｍｂｅｒ）を設定する第１のＳＮ設定モジュールと、
前記受信したデータのヘッダを圧縮するヘッダ圧縮モジュールと、
前記ヘッダ圧縮されたデータを暗号化する暗号化モジュールと、
前記暗号化されたデータに第２のＳＮを付加して、第２のＳＮが付加されたデータを下位層に送信する第２のＳＮ設定モジュールと
を含む、移動通信送信機。
【請求項２】
前記暗号化モジュールまたは前記第２のＳＮ設定モジュールは、前記第２のＳＮが付加されたデータが暗号されたか否かを示すインジケータを付加する、請求項１に記載の送信機。
【請求項３】
前記インジケータは、前記第２のＳＮが付加されたデータ中のＳＮフィールドの前に付加される、請求項２に記載の送信機。
【請求項４】
前記ヘッダ圧縮モジュール自体が、前記上位層から受信したデータとは別にデータを生成する、請求項１に記載の送信機。
【請求項５】
前記ヘッダ圧縮モジュール自体により生成されたデータは、前記暗号化モジュールにより暗号化されない、請求項４に記載の送信機。
【請求項６】
前記ヘッダ圧縮モジュール自体により生成されたデータは、前記上位層から受信したデータと関連のないフィードバックデータである、請求項５に記載の送信機。
【請求項７】
前記ヘッダ圧縮モジュール自体により生成されたデータは、ＲＯＨＣ（Ｒｏｂｕｓｔ  Ｈｅａｄｅｒ  Ｃｏｍｐｒｅｓｓｉｏｎ）フィードバックパケットである、請求項６に記載の送信機。
【請求項８】
前記第１のＳＮと前記第２のＳＮとは、同一のＰＤＣＰ（Ｐａｃｋｅｔ  Ｄａｔａ  Ｃｏｎｖｅｒｇｅｎｃｅ  Ｐｒｏｔｏｃｏｌ）ＳＮである、請求項１に記載の送信機。
【請求項９】
前記第１のＳＮ設定モジュールにより前記上位層から受信されるデータはＰＤＣＰ  ＳＤＵ（Ｓｅｒｖｉｃｅ  Ｄａｔａ  Ｕｎｉｔ）であり、前記第２のＳＮ設定モジュールにより前記下位層に送信される前記第２のＳＮが付加されたデータはＰＤＣＰ  ＰＤＵ（Ｐｒｏｔｏｃｏｌ  Ｄａｔａ  Ｕｎｉｔ）である、請求項１に記載の送信機。
【請求項１０】
前記上位層から受信したデータを保存する第１のバッファをさらに含む、請求項１に記載の送信機。
【請求項１１】
前記第２のＳＮが付加されたデータを受信して保存する第２のバッファと、
前記第２のＳＮが付加されたデータを分割及び／又は連結する分割及び連結モジュールと、
前記分割及び／又は連結されたデータに第３のＳＮを付加する第３のＳＮ設定モジュールと、
前記第３のＳＮが付加されたデータを保存する第３のバッファと
をさらに含む、請求項１０に記載の送信機。
【請求項１２】
前記第２のバッファはＲＬＣ（Ｒａｄｉｏ  Ｌｉｎｋ  Ｃｏｎｔｒｏｌ）ＳＤＵバッファであり、前記第３のバッファはＲＬＣ  ＰＤＵバッファである、請求項１１に記載の送信機。
【請求項１３】
前記第３のＳＮ設定モジュールにより付加される前記第３のＳＮは、ＲＬＣ  ＳＮである、請求項１１に記載の送信機。
【請求項１４】
前記第１のバッファはＰＤＣＰ  ＳＤＵバッファであり、前記下位層はＲＬＣ層である、請求項１に記載の送信機。
【請求項１５】
前記下位層は、ＡＭ（Ａｃｋｎｏｗｌｅｄｇｅｄ  Ｍｏｄｅ）で動作するＲＬＣ層である、請求項１に記載の送信機。
【手続補正２】
【補正対象書類名】明細書
【補正対象項目名】００４１
【補正方法】変更
【補正の内容】
【００４１】
さらに、本発明においては、ＬＴＥの必須機能の１つである暗号化過程を第２層で円滑に行うことができる。
例えば、本発明は以下の項目を提供する。
（項目１）
上位層からデータを受信して上記データに関する第１のＳＮ（Ｓｅｑｕｅｎｃｅ  Ｎｕｍｂｅｒ）を設定する第１のＳＮ設定モジュールと、
上記受信したデータのヘッダを圧縮するヘッダ圧縮モジュールと、
上記ヘッダ圧縮されたデータを暗号化する暗号化モジュールと、
上記暗号化されたデータに第２のＳＮを付加して下位層に送信する第２のＳＮ設定モジュールと
を含むことを特徴とする移動通信送信機。
（項目２）
上記ヘッダ圧縮モジュールは、上記暗号化モジュールにより暗号化されたデータにインジケータを付加するか、又は上記第２のＳＮ設定モジュールにより上記第２のＳＮが付加されたデータにインジケータを付加することを特徴とする項目１に記載の移動通信送信機。
（項目３）
上記インジケータは、上記暗号化されたデータが暗号化されているか否かを示すことを特徴とする項目２に記載の移動通信送信機。
（項目４）
上記インジケータは、上記第２のＳＮ設定モジュールにより上記第２のＳＮが付加された上記暗号化されたデータの構造において、ＳＮフィールドの前に付加されることを特徴とする項目２に記載の移動通信送信機。
（項目５）
上記ヘッダ圧縮モジュールは、上記上位層から受信したデータとは別に、データを独自に生成することを特徴とする項目１に記載の移動通信送信機。
（項目６）
上記ヘッダ圧縮モジュールにより独自に生成されたデータは、上記暗号化モジュールにより暗号化されないことを特徴とする項目５に記載の移動通信送信機。
（項目７）
上記ヘッダ圧縮モジュールにより独自に生成されたデータは、上記上位層から受信したデータと関連のないフィードバックデータであることを特徴とする項目６に記載の移動通信送信機。
（項目８）
上記ヘッダ圧縮モジュールにより独自に生成されたデータは、ＲＯＨＣ（Ｒｏｂｕｓｔ
Ｈｅａｄｅｒ  Ｃｏｍｐｒｅｓｓｉｏｎ）フィードバックパケットであることを特徴とする項目７に記載の移動通信送信機。
（項目９）
上記第１のＳＮと上記第２のＳＮとは、同一のＰＤＣＰ（Ｐａｃｋｅｔ  Ｄａｔａ  Ｃｏｎｖｅｒｇｅｎｃｅ  Ｐｒｏｔｏｃｏｌ）  ＳＮであることを特徴とする項目１に記載の移動通信送信機。
（項目１０）
上記第１のＳＮ設定モジュールにより上記上位層から受信されるデータはＰＤＣＰ  ＳＤＵ（Ｓｅｒｖｉｃｅ  Ｄａｔａ  Ｕｎｉｔ）であり、上記第２のＳＮ設定モジュールにより上記下位層に送信されるデータはＰＤＣＰ  ＰＤＵ（Ｐｒｏｔｏｃｏｌ  Ｄａｔａ  Ｕｎｉｔ）であることを特徴とする項目１に記載の移動通信送信機。
（項目１１）
上記上位層から受信したデータを保存する第１のバッファをさらに含むことを特徴とする項目１に記載の移動通信送信機。
（項目１２）
上記第２のＳＮが付加されたデータを受信して保存する第２のバッファと、
上記第２のバッファに保存されたデータを分割及び／又は連結する分割及び連結モジュールと、
上記分割及び／又は連結されたデータに第３のＳＮを付加する第３のＳＮ設定モジュールと、
上記第３のＳＮ設定モジュールにより上記第３のＳＮが付加されたデータを保存する第３のバッファと
をさらに含むことを特徴とする項目１に記載の移動通信送信機。
（項目１３）
上記第２のバッファはＲＬＣ（Ｒａｄｉｏ  Ｌｉｎｋ  Ｃｏｎｔｒｏｌ）  ＳＤＵバッファであり、上記第３のバッファはＲＬＣ  ＰＤＵバッファであることを特徴とする項目１２に記載の移動通信送信機。
（項目１４）
上記第３のＳＮ設定モジュールにより付加される第３のＳＮは、ＲＬＣ  ＳＮであることを特徴とする項目１２に記載の移動通信送信機。
（項目１５）
上記第１のバッファはＰＤＣＰ  ＳＤＵバッファであり、上記下位層はＲＬＣ層であることを特徴とする項目１に記載の移動通信送信機。
（項目１６）
上記下位層は、ＡＭ（Ａｃｋｎｏｗｌｅｄｇｅｄ  Ｍｏｄｅ）で動作するＲＬＣ層であることを特徴とする項目１に記載の移動通信送信機。